(57)【特許請求の範囲】
【請求項１】
ロール紙の軸方向に沿い、互いに間隔をもって対向配置されると共に、対向面の底部に延長形成されたラックを有する一対の支持部材を備え、
フレームに設けられたロール紙収納凹部内に、前記一対の支持部材をロール紙の軸方向に沿い摺動可能に設置されるロール紙の支持装置であって、
前記ロール紙収納凹部内に、前記両支持部材の各ラックと歯合しかつ前記ロール紙収納凹部内において両支持部材をロール紙の軸方向に沿い互いに相対的に摺動させるピニオン部品と、
前記両支持部材の各ラックと歯合しかつ前記ロール紙収納凹部内において両支持部材をロール紙の軸方向に沿い互いに所定の間隔をもった状態で一体的に摺動させるラック状部品と、
前記ピニオン部品と前記ラック状部品の何れかを選択的により、前記両支持部材を取り付けることを特徴とするロール紙の支持装置。
【請求項２】
前記両支持部材のうち、何れか一方の支持部材に、一方の支持部材を前記フレームと係止するインターロック機構を備えていることを特徴とする請求項１記載のロール紙の支持装置。
【請求項３】
前記両支持部材は、前記フレームのロール紙収納凹部にロール紙の軸方向に沿って設けられたガイド部と係合し、かつガイド部に沿い互いに平行状態を保った状態で摺動する被ガイド部を有することを特徴とする請求項１または２記載のロール紙の支持装置。
【発明の詳細な説明】
【０００１】
【発明の属する技術分野】
本発明は、例えばプリンタやファクシミリ等に用いられる記録紙、あるいは、ロール状に巻回された台紙上に仮着されているラベルやシールといったロール紙を支持する支持装置に関するものである。
【０００２】
【従来の技術】
従来、この種のロール紙の支持装置は、ロール紙の中心に伸縮可能な支持軸を挿通し、この支持軸を縮めた状態でロール紙と共に一対の支持部材間に挿入した後、支持軸を伸ばして、その両端部を両支持部材に係合させることにより、前記支持軸を介してロール紙を両支持部材間に回転自在に装置するようにしている。あるいは、一対の支持部材の一方をフレーム等に固定しておくと共に、この固定した支持部材に支持軸を一体に設けておき、この支持軸にロール紙を装着した後に、他方の支持部材を前記支持軸の他端部に取り付けると共に、前記フレーム等に固定することによって、両支持部材間にロール紙を回転自在に装着する構成も知られている。
【０００３】
【発明が解決しようとする課題】
しかしながら、前者の支持装置にあっては、支持軸を縮めた状態に保持しつつ支持部材間に挿入し、さらに、前記支持軸と両支持部材との位置決めを行った後に支持軸を伸ばす操作を行わなければならないことから、ロール紙の装着に際し、着脱操作が煩雑なものとなり、かつ着脱操作に両手を用いる必要があることと相俟って、その操作をいっそう煩雑にしているといった問題点があった。
また、後者の支持装置にあっても、一方の支持部材を着脱する必要があることから、前者と同様の問題点があった。
【０００４】
さらに、前者および後者の何れも、両支持部材間の間隔を規定したままの状態では、ロール紙を軸方向に移動させることができず、そのため、印字ヘッドに対し記録紙の位置を微調整することができないという問題もあった。
【０００５】
本発明は、上記従来技術の問題点に鑑み、ロール紙の着脱を簡単な操作で行うことができ、しかもロール紙の位置を対象物に対し微調整することもできるロール紙の支持装置を提供することを課題とする。
【０００６】
【課題を解決するための手段】
上記課題を解決するために本発明においては、以下の手段を採用した。本発明では、ロール紙の軸方向に沿い、互いに間隔をもって対向配置されると共に、対向面の底部に延長形成されたラックを有する一対の支持部材を備え、フレームに設けられたロール紙収納凹部内に、前記一対の支持部材をロール紙の軸方向に沿い摺動可能に設置されるロール紙の支持装置であって、前記ロール紙収納凹部内に、前記両支持部材の各ラックと歯合しかつ前記ロール紙収納凹部内において両支持部材をロール紙の軸方向に沿い互いに相対的に摺動させるピニオン部品と、前記両支持部材の各ラックと歯合しかつ前記ロール紙収納凹部内において両支持部材をロール紙の軸方向に沿い互いに所定の間隔をもった状態で一体的に摺動させるラック状部品と、前記ピニオン部品と前記ラック状部品の何れかを選択的により、前記両支持部材を取り付けることを特徴とする。
また、本発明では、前記両支持部材のうち、何れか一方の支持部材に、一方の支持部材を前記フレームと係止するインターロック機構を備えていることを特徴とする。
さらに本発明では、前記両支持部材は、前記フレームのロール紙収納凹部にロール紙の軸方向に沿って設けられたガイド部と係合し、かつガイド部に沿い互いに平行状態を保った状態で摺動する被ガイド部を有することを特徴とする。
【０００７】
【発明の実施の形態】
以下、本発明の実施の形態を図１〜図８に基づいて説明する。
図１において、符号１はラベルプリンタを示す。このラベルプリンタ１は、プリンタ本体のフレーム２と、このフレーム２の上面一端側に設けられた印字ヘッド３と、フレーム２の上面他端側に設けられた本実施形態に係るロール紙Ｒの支持装置４とによって構成されている。
【０００８】
ロール紙Ｒは、本実施形態では長尺の記録紙Ｗを巻回したものであり、この記録紙Ｗは、支持装置４に支持されているロール紙Ｒから引き出されて、印字ヘッド３に送り込まれるようになっている。印字ヘッド３は、詳細に図示していないが、感熱発色紙を発色させるタイプ又は一般紙にカーボンリボンのインクを転写させるタイプを選択的に使用できるようになっている。
【０００９】
そして、支持装置４は、フレーム２に上方に開口して形成されたロール紙収納凹部５内に設置されてあって、一対の支持部材６と、一対の枢軸７と、一対の揺動部材８と、係止ピン９と、付勢部材１０とを備え、枢軸７によって支持された支持部材６が互いにロール紙Ｒを支持するように構成されている。
【００１０】
ここで、支持部材６の各々は、記録紙Ｗの引き出し方向と直交する方向に間隔をもって配置され、しかも両者６，６の間にロール紙Ｒが上方からその径方向に沿って挿入できるようになっている。
【００１１】
枢軸７は、両支持部材６に、ロール紙Ｒの軸方向および挿入方向と略直交する方向に沿ってそれぞれ設けられている。
揺動部材８は、両支持部材６の対向する内面に、上下方向に沿って配設されると共に、上下方向の略中間部において各枢軸７により揺動自在に装着されている。
係止ピン９は、両揺動部材８の上部に、互いに対向するように突出して取り付けられている。
付勢部材１０は、両揺動部材８の下端部が互いに接近するように付勢させるためのものであり、例えば図２および図３に示すように、支持部材６の下部に側方に突出して形成された起立壁６１と、揺動部材８の下端部との間に縮設された圧縮ばねからなっている。
【００１２】
さらに詳しく述べると、両支持部材６の上端部は、上方に至るに従いしだいに相互に離間するように傾斜させられたガイド面６ａをなし、また中央部には、揺動部材８が収納される貫通孔６ｂが、厚さ方向に貫通して形成され、この貫通孔６ｂの上下方向に沿った一対の内壁面間に枢軸７が架装されている。
【００１３】
また、両支持部材６には被ガイド部が形成されている。この被ガイド部は、図１および図４に示すように、両支持部材６の底面に凹んで形成され、かつロール紙収納凹部５の底面上に斜めに起立して形成されたガイド部としてのガイド突起１２ａと係合する溝１１ａと、両支持部材６の側部に折り曲げて形成され、かつロール紙収納凹部５の支持部材６のスライド方向に形成されたガイド部としてのガイド切欠１２ｂと係合する引き掛け突起１１ｂとからなっている。
【００１４】
そして、これらガイド突起１２ａに溝１１ａが係合すると共に、ガイド切欠１２ｂに引き掛け突起１１ｂが係合している。さらに、図１および図４に示すように、両支持部材６の他端部にはロール紙収納凹部５に設けられた彎曲部１２ｃと対応する形状に形成された彎曲部１１ｃが設けられ、その彎曲部１１ｃにガイド部としての棒体１２ｄが係合している。棒体１２ｄは図１に示すように、ロール紙収納凹部５の他端部において両側に跨るように固定されている。
【００１５】
したがって、両支持部材６が、互いに接近したり離間したりするように移動したとき、ガイド突起１２ａに沿って溝１１ａがガイドされると共に、ガイド切欠１２ｂに沿い引き掛け突起１１ｂがガイドされ、さらに、彎曲部１２ｃ，棒体１２ｄに沿い彎曲部１１ｃがガイドされることにより、両支持部材６が、平行状態を保つながら互いに相対移動できるようになっている。
【００１６】
揺動部材８は、図２に示すように、ロール紙Ｒが挿入されていない状態において付勢部材１０によって下端部が付勢されて、枢軸７を中心として揺動された際に、下端部が支持部材６の内面よりも内側へ突出し、しかも上部に設けられている係止ピン９の先端が、貫通孔６ｂの内側に位置するようになっている。また、ロール紙Ｒが押し込まれることにより、揺動部材８の上端部に設けられている係止ピン９が、図１および図３に示すように、貫通孔６ｂから突出するようになっている。
【００１７】
さらに、支持部材６の対向面の底部には、図１および図６に示すように、ラック１３がロール紙収納部凹部５の底面に沿うと共に、ロール紙Ｒの軸方向に沿って延長形成されている。これら各ラック１３は、互いに対向する端部に同一ピッチからなる歯部を有している。
【００１８】
またさらに、両支持部材６の各ラック１３の間に、これらラック１３と歯合するピニオン部品１４と、ラック状部品１５とが選択的に取り付けられるようになっている。
ピニオン部品１４は、両支持部材６のラック１３，１３と歯合する歯部を有し、両支持部材６の各ラック１３，１３と歯合した状態で軸１６を介して回転自在に取り付けられるようになっている。これにより、一方の支持部材６が任意の方向に摺動したとき、その支持部材６のラック１３と他方の支持部材６のラック１３とが図６に示すように、ピニオン部品１４を介して互いに接近したり離れたりするようになっている。つまり、ラック１３とピニオン部品１４とにより、両支持部材６は、互いに同一の摺動量で相対的に摺動するようになっている。
【００１９】
一方、ラック状部品１５は、図７および図８に示すように矩形状をなしており、その長手方向の両端面にラック１３の歯部と歯合する歯部を有し、ピニオン部品１４に代わり、軸１６を介し両支持部材６のラック１３と歯合して取り付けられることにより、両支持部材６，６間の間隔Ｌを規定したままで、ロール紙Ｒの軸方向に沿う左右に移動できるようになっている。
【００２０】
なおさらに、図１および図５に示すように、支持部材６にインターロック機構２５が設けられている。このインターロック機構２５は、図５に拡大して示すように、上端部内方の片側に、Ｌ字状に形成されたリンク部材１７が支持軸１８によって回動可能に取付けられている。リンク部材１７は、図５において、その上腕１７ａの先端部１７ｂが一方（図１に示す左側）の支持部材６に設けられた切欠１９から外部上方に突出しており、その下腕１７ｃの先端部が板ばね２０のばね力によってプリンタ本体のフレーム２方向に付勢されている。板ばね２０は、一方の支持部材６に設けられた延長部２１の取付ピン２２に一端部が引き掛けられ、かつ他端部がリンク部材１７の下腕１７ｃを下方に付勢させている。また、リンク部材１７の下腕１７ｃの先端部の下面には凸凹２３部が形成される一方、フレーム２において凸凹部２３と対向する面上にその凸凹２３と係合する凸凹２４が形成されている。
【００２１】
そして、ロール紙収納凹部５内にラック状部品１５と両支持部材６とが歯合したままで両支持部材６が取り付けられた状態にあるとき、板ばね２０のばね力によりリンク部材１７の下腕１７ｃが下方に付勢され、下腕１７ｃの凸凹２３がフレーム２の凸凹２４と係合することにより、支持部材６を固定させるようになっている。また、板ばね２０のばね力に抗し、リンク部材１７の上腕１７ａの先端部１７ｂを押圧し、図５に示す鎖線に示すように、リンク部材１７を時計方向に若干回動させると、下腕１７ｃの凸凹２３とフレーム２の凸凹２４との係合が解除されることにより、支持部材６をロール紙収納凹部５内でロール紙Ｒの軸方向に沿って移動できるようになっている。
【００２２】
上記のように構成された本実施形態の作用について説明する。
まず、予め、図１および図６に示すように、ロール紙収納凹部５内に一対の両支持部材６がピニオン部品１４と歯合した状態で取り付けられているものとする。このとき、インターロック機構２５において図５に示すように、リンク部材１７の上腕１７ａの先端部１７ｂを押下してリンク部材１７の凸凹部２３とフレーム２の凸凹部２４との係合状態を解除しておき、その状態で支持部材６を摺動させて、両支持部材６間の間隔を、装着すべきロール紙Ｒの長さに合わせる。
【００２３】
このとき、両支持部材６は、一対のラック１３とピニオン部品１４の作用により、各支持部材６の摺動量が等しくかつ摺動方向が逆方向となるので、図６（ａ），（ｂ）に示すように間隔Ｌ１とＬ２との何れにもでき、両支持部材６間の中心が印字ヘッド３の中心位置Ｃと一致するように保たれた状態で間隔Ｌ１，Ｌ２が調整される。したがって、両支持部材６間に装着されるロール紙Ｒの長さ方向の中心と印字ヘッド３の中心位置Ｃとが常に一定に保たれる。
【００２４】
このような支持部材６の位置あわせに際し、リンク部材１７の先端部１７ａの押下を解除すると、リンク部材１７の下腕１７ｃの凸凹部２３が板ばね２０のばね力により下方に付勢され、フレーム２に設けられている凸凹部２４の何れかに係合するので、両支持部材６をその位置にて固定することができる。
【００２５】
この状態において、両支持部材６間に、ロール紙Ｒを、図２に鎖線にて示すように上方から挿入して下降させると、この下降に伴いロール紙Ｒの下端部が各揺動部材８に当接し、これらの揺動部材８が相互に離間させるように揺動して、各揺動部材８の係止ピン９が、貫通孔６ｂから徐々に支持部材６間に突出すると共に、ロール紙Ｒの中心孔Ｒ１内へ徐々に挿入され、ロール紙Ｒのさらなる下降によって、前記係止ピン９が図３に示すように、ロール紙Ｒの内周面にその上端において当接する。これにより、ロール紙Ｒが両係止ピン９によって吊り下げられるように保持されるので、ロール紙Ｒの支持を行うことができる。
【００２６】
一方、前記ロール紙Ｒを取り外す場合には、前述した装着手順と逆の手順によって、ロール紙Ｒを上方へ引き上げる操作を行えばよい。つまり、ロール紙Ｒを上方へ引き上げ、ロール紙Ｒの下端部が枢軸７を通過した時点で、図２に示すように、付勢部材１０の付勢力により、両係止ピン９が支持部材６の貫通孔６ｂ内に戻るので、ロール紙Ｒと支持装置４との間に干渉する部分がなくなり、ロール紙Ｒの引き抜きを円滑に行うことができる。
【００２７】
したがって、ロール紙Ｒの挿入および引き抜きといった操作によって、ロール紙Ｒの着脱を行うことができ、かつその操作も、ロール紙Ｒを片手で上下させることによって行うことができるので、その操作を極めて簡便に行うことができる。
【００２８】
次に、上記のように、両支持部材６のラック１３とピニオン部品１４とが歯合している状態にあるとき、ラック状部品１５を用いる場合には、まず、軸１６を抜き取ると共に、両支持部材６の各ラック１３間からピニオン部品１４を取り外した後、それら各ラック１３間に図８に示すようにラック状部品１５を歯合させると共に、その歯合した状態のままで軸１６を取り付ける。
【００２９】
このとき、ロール紙収納凹部５に対する両支持部材６の位置決めに際しては、前述したようにピニオン部品１４を用いた場合と同様であり、つまり、インターロック機構２５のリンク部材１７の先端部１７ｂを押下して凸凹部２３と凸凹部２４との係合状態を解除しておき、その状態で支持部材６を摺動させることにより、両支持部材６間の間隔を、装着すべきロール紙Ｒの長さに合わせる。
【００３０】
そして、この両支持部材６の各揺動部材８間に、上述と同様にして操作することにより、ロール紙Ｒを支持し、これによってロール紙Ｒの記録紙Ｗに印字することが可能となる。
【００３１】
その場合、印字ヘッド３に対しロール紙Ｒの位置をずらしたいときには、ピニオン部品１４を用いた場合と同様、リンク部材１７を押圧して凸凹部２４に対する凸凹２３の係合を解除させ、その状態にあるとき、両支持部材６のうち、何れか一方の支持部材６を図８に示すようにロール紙Ｒの軸方向に沿って摺動させると、両支持部材６のラック１３がラック状部品１５を介し、互いに一定の間隔Ｌとなったままの状態で摺動することにより、印字ヘッド３の中心位置Ｃに対し支持部材６の位置をずらすことができる。そして、所望の位置まで摺動したとき、リンク部材１７を釈放し、リンク部材１７の凸凹部２３が凸凹部２４に係合することにより、両支持部材６を固定する。
【００３２】
したがって、ラック状部品１５を用いた場合には、図８に示すように、一方の支持部材６を摺動させるだけで両支持部材６間が一定の間隔Ｌを保った状態で、両支持部材６をロール紙Ｒの軸方向に摺動させ、印字ヘッド３の中心位置Ｃに対して両支持部材６をずらすことができるので、印字ヘッド３に対しロール紙Ｒの軸方向の印字位置を微調整することができる。
【００３３】
つまり、本実施形態では、両支持部材６に対しピニオン部品１４を用いることにより、両支持部材６間を相対的に摺動させ、両支持部材６間の間隔を任意に変えることができ、またラック状部品１５を用いることにより、両支持部材６間の間隔を一定のままの状態で摺動させ、しかも印字ヘッド３の中心位置Ｃに対してずらすことができるので、ピニオン部品１４とラック状部品１５とを選択的に使い分けることで、支持装置４の機能を種々変えることができ、ユーザーの様々な要求に対処することができる。
【００３４】
また、一方の支持部材６にインターロック機構２５を備えているので、ピニオン部品１４を使用している場合には、両支持部材６間の間隔がずれるおそれがなくなると共に位置ずれがなく、またラック状部品１５を使用している場合には、両支持部材６の位置が一定の間隔Ｌをもったままでずれることがないと共に、その状態での位置ずれもない。
【００３５】
さらに、両支持部材６は、ロール紙収納凹部５にロール紙Ｒの軸方向に沿って設けられたガイド突起１２ａ，ガイド切欠１２ｂと係合し、かつそれらガイド突起１２ａ，ガイド切欠１２ｂに沿い互いに平行状態を保った状態で摺動する溝１１ａ，引き掛け突起１１ｂを有しているので、両支持部材６が互いに摺動したとき、傾くことなく常に平行状態で摺動させることができることにより、使い勝手がいっそう良好となる。
【００３６】
【発明の効果】
以上述べたように、本発明によれば、ロール紙収納凹部内に設置される両支持部材に対し、ピニオン部品を用いることにより、両支持部材間を相対的に摺動させ、両支持部材間の間隔を任意に変えることができる一方、ラック状部品を用いることにより、両支持部材間の間隔を一定のままの状態で摺動させ、印字ヘッドの中心位置に対してロール紙を軸方向にずらすことができるので、印字位置の微調整ができる効果がある。また、ピニオン部品とラック状部品とを使い分けることで、支持装置の機能を種々変えることができ、ユーザーの様々な要求に対処することができる効果がある。
【図面の簡単な説明】
【図１】本発明の一実施形態によるロール紙の支持装置を適用したラベルプリンタを示す平面図である。
【図２】両支持部材間における揺動部材の作用を示す図１のＡ−Ａ線断面図である。
【図３】同じく支持部材における揺動部材の揺動によりロール紙を支持した状態を示す断面図である。
【図４】図１のＢ−Ｂ線に相当する要部拡大の断面図である。
【図５】インターロック機構を示す拡大の断面図である。
【図６】ピニオン部品を使用したときの両支持部材の作用を示す説明図である。
【図７】両支持部材とラック状部品とを示す説明図である。
【図８】ラック状部品を使用したときの両支持部材の作用を示す説明図である。
【符号の説明】
１  ラベルプリンタ
２  フレーム
３  印字ヘッド
４  ロール紙の支持装置
５  ロール紙収納凹部
６  支持部材
６ａ  ガイド面
６ｂ  貫通孔
７  枢軸
８  揺動部材
９  係止ピン
１０  付勢部材
１１ａ  溝
１１ｂ  引き掛け突起
１１ｃ  彎曲部
１２ａ  ガイド突起
１２ｂ  ガイド切欠
１２ｃ  彎曲部
１２ｄ  棒体
１３  ラック
１４  ピニオン部品
１５  ラック状部品
１６  軸
１７  リンク部材
１７ａ  上腕
１７ｂ  先端部
１７ｃ  下腕
１８  支持軸
１９  切欠
２０  板ばね
２１  延長部
２２  取付ピン
２３  リンク部材の凸凹部
２４  フレームの凸凹部
２５  インターロック機構
６１  起立壁
Ｃ  印字ヘッドの中心位置
Ｒ  ロール紙
Ｒ１  ロール紙の中心孔
Ｗ  記録紙
【図１】
0004537613.tif 000002
【図２】
0004537613.tif 000003
【図３】
0004537613.tif 000004
【図４】
0004537613.tif 000005
【図５】
0004537613.tif 000006
【図６】
0004537613.tif 000007
【図７】
0004537613.tif 000008
【図８】
0004537613.tif 000009